(57)【特許請求の範囲】
【請求項１】
医療施設又は理美容施設のいずれかで使用されるインスツルメントが載置されるインスツルメント載置部が設けられたインスツルメントホルダにおいて、
前記インスツルメント載置部が、
所定間隔をあけて並行に一対で設けられ、前記インスツルメントを載置状態に案内するガイドローラと、
このガイドローラとで平面視略Ｕ字を形成して前記インスツルメントの頭部を支持し、前記所定間隔と同等若しくはそれ以上の軸方向長さを有する支持ローラと、を備え、
前記支持ローラが、軸方向両端の最大径部から軸方向中央部へ向けて径が徐々に縮小する鼓状の鼓状ローラであり、
この鼓状ローラの軸が、前記ガイドローラの軸の延長線よりも上方に位置し、
前記ガイドローラの端部が、前記鼓状ローラの下側に潜り込んでいる、
ことを特徴とするインスツルメントホルダ。
【請求項２】
請求項１に記載のインスツルメントホルダにおいて、
前記鼓状ローラが、前記所定間隔以上の軸方向長さを有し、
前記最大径部が、前記ガイドローラの外側にある、
ことを特徴とするインスツルメントホルダ。
【請求項３】
請求項１又は請求項２に記載のインスツルメントホルダにおいて、
前記鼓状ローラに、前記最大径部から前記軸方向中央部へ向けて径が縮小していく第１傾斜部と、この第１傾斜部に連続し、前記軸方向中央部へ向けて前記第１傾斜部よりも径が縮小していく傾斜がなだらかとなる又は、前記軸方向中央部へ向けて径が縮小しないで平坦となる第２傾斜部と、が形成されている、
ことを特徴とするインスツルメントホルダ。
【請求項４】
請求項１から請求項３までの何れか１項に記載のインスツルメントホルダの一辺に対し斜め方向に前記インスツルメント載置部が設けられている、
ことを特徴とするインスツルメントホルダ。
【発明の詳細な説明】
【技術分野】
【０００１】
本発明は、例えば、歯科医師やそのアシスタント（以下、「歯科医師等」という。）をはじめとする各診療科の医師等又は、エステティシャン等の理美容施術者が使用する各種のインスツルメントを引出し可能に保持するインスツルメントホルダに関する。
【背景技術】
【０００２】
例えば、歯科医師等は一般に、エアータービン、マイクロモーター、マルチシリンジ等の種々の歯科用インスツルメント（以下、「ハンドピース」という。）を使用して歯科治療を行う。各種のハンドピースは通常、エアー、水、電気等を供給するホースの先端に着脱自在に接続され、インスツルメントホルダに収納又は懸架されている。歯科医師等はインスツルメントホルダから引出して、治療に必要なハンドピースを使用することになる。
【０００３】
下記特許文献１では、複数本の歯科治療用ハンドピースが水平かつ並行に載置され、その先端位置が順次異なるように先端辺が斜めに形成され、その載置高さも順次異なるように形成されているインスツルメントホルダに係る発明が提案されている。この発明において、各ハンドピースはグリップ位置がインスツルメントホルダの先端位置から異なって載置される。このため所望のハンドピースを引出すときに施術者が、これを確認しなければならず、ハンドピースの刃物及び隣接するハンドピースに手指が触れることがなくなる。また、引出されたハンドピースが接続されているホースも、隣接するハンドピースの刃物に触れることがなくなって、その外被が損傷する恐れがなくなるといった効果が得られるとされる。
【先行技術文献】
【特許文献】
【０００４】
【特許文献１】特開２００７−１３０２１７号公報
【発明の概要】
【発明が解決しようとする課題】
【０００５】
しかしながら、上記特許文献１では、ホースをインスツルメントホルダの所定の位置からスムーズに引出すための手段又は構造が記載されていない。所望のハンドピースを引出すときにスムーズさを欠いてしまい、特に引戻す際にスムーズさを欠いてしまうと、ハンドピースを載置位置に戻しにくくなってしまうことがある。
【０００６】
本発明は上記実情に鑑み提案され、ハンドピースを所定の位置から引出すこと及び、所定の位置へ引戻すことをスムーズに行えるインスツルメントホルダを提供することを目的とする。
【課題を解決するための手段】
【０００７】
上記目的を達成するため、本発明は、医療施設又は理美容施設のいずれかで使用されるインスツルメントが載置されるインスツルメント載置部が設けられたインスツルメントホルダにおいて、前記インスツルメント載置部が、所定間隔をあけて並行に一対で設けられ、前記インスツルメントを載置状態に案内するガイドローラと、このガイドローラとで平面視略Ｕ字を形成して前記インスツルメントの頭部を支持し、前記所定間隔と同等若しくはそれ以上の軸方向長さを有する支持ローラと、を備え、前記支持ローラが、軸方向両端の最大径部から軸方向中央部へ向けて径が徐々に縮小する鼓状の鼓状ローラであり、この鼓状ローラの軸が、前記ガイドローラの軸の延長線よりも上方に位置していることを特徴とする。
【０００８】
また、鼓状ローラに、前記最大径部から前記軸方向中央部へ向けて径が縮小していく第１傾斜部と、この第１傾斜部に連続し、前記軸方向中央部へ向けて前記第１傾斜部よりも径が縮小していく傾斜がなだらか又は、前記軸方向中央部へ向けて径が縮小しないで平坦となる第２傾斜部とが形成されていることを特徴とする。さらに、上記インスツルメントホルダの一辺に対し斜め方向に前記インスツルメント載置部が設けられていることを特徴とする。インスツルメント載置部が複数設けられていることも特徴とする。
【発明の効果】
【０００９】
本発明は、鼓状ローラ（支持ローラ）の軸が、ガイドローラの軸の延長線よりも上方に位置している構成である。さらに、インスツルメント載置部における支持ローラが、ガイドローラが並行に一対で設けられている所定間隔と同等若しくはそれ以上の軸方向長さを有する構成を備える。また、支持ローラが軸方向両端の最大径部から軸方向中央部へ向けて径が徐々に縮小する鼓状の鼓状ローラである構成を備えている。
【００１０】
これらの構成により、まず、上述のような鼓状ローラの形状により、その軸方向中央部に、インスツルメントに接続されるホースが案内されやすく、インスツルメントの収まり及び取出しやすさが改善され、インスツルメント及びこれに接続されるホースのスムーズな引出し及び引戻しに寄与することができる。鼓状ローラの第１傾斜部及び第２傾斜部が形成されている構成によっても、インスツルメントの収まり及び取出しやすさが改善され、インスツルメント及びこれに接続されるホースのスムーズな引出し及び引戻しが実現される。また、支持ローラとガイドローラとの間に隙間が生じなくなって、インスツルメント及びこれに接続されるホースのスムーズな引出し及び引戻しを実現することができる。すなわち、インスツルメント及びこれに接続されるホースが、載置部に対して斜めに引き出されても、支持ローラに案内されることで周囲に引っ掛かることがない。
【００１１】
本発明は、上記インスツルメントホルダの一辺に対し斜め方向にインスツルメント載置部が設けられている構成を備える。すなわち、引き出される向きに予めインスルツメントが配置されているため、常に支持ローラでホースを受けることが可能であり、ホースのスムーズな引出し及び引戻しが実現される。また、施術者に対してインスツルメントがより近づく配置となるので、施術者が掴みやすくなり、効率の良い施術が実行できるようになる。インスツルメント載置部が複数設けられる構成により、多種多様なインスツルメントを一通りセッティングすることのできるインスツルメントユニットホルダが提供可能となり、便宜である。
【図面の簡単な説明】
【００１２】
【図１】本発明に係るインスツルメントユニットホルダを備えた歯科用テーブルにおいて、インスツルメントユニットホルダの全体の概略構成を上方からの斜視図で示す概略上方斜視図である。
【図２】図１で示したインスツルメントユニットホルダからホルダカバーを外して現れる構成部品を説明する概略上方斜視図である。
【図３】図２で示した概略上方斜視図から、ハンドピースを除いた様子を説明する概略上方斜視図である。
【図４】本発明におけるインスツルメント載置部を構成する構成部品について説明する説明斜視図である。
【発明を実施するための形態】
【００１３】
以下、本発明に係るインスツルメントユニットホルダに関し、これを備えた例示である歯科用テーブルについての一実施形態を、図面を参照しつつ説明する。この実施形態は、本発明の構成を具現化した一例に過ぎず、本発明は、特許請求の範囲に記載した事項を逸脱することがなければ、種々の設計変更を行うことができる。
【００１４】
本実施形態において歯科用テーブルＴは、図１に示すように、移動のために歯科医師等が握るハンドルＨが設けられている側において、本発明に係るインスツルメントユニットホルダＡを備えて構成される。インスツルメントユニットホルダＡは、例えば、歯科において使用される歯科用インスツルメントとしてのハンドピース１を収容するホルダ本体２の上面を、ホルダカバー３で覆って構成されている。
【００１５】
ホルダ本体２には、ハンドピース１を載置するインスツルメント載置部（以下、単に「載置部」という。）２１が複数（図１において５つ）形成されている。したがって、本発明に係るインスツルメントユニットホルダＡは、エアータービン、マイクロモーター、マルチシリンジ等の多種多様なハンドピース１を一通りセッティングすることができる。以下、インスツルメントユニットホルダＡの具体的な構成について詳述していく。
【００１６】
図２に示すように、ホルダカバー３を外すと、本発明に係るインスツルメントユニットホルダＡは、外されたホルダカバー３と、ホルダ本体２と、このホルダ本体２に設けられる載置部２１と、ハンドピース１の脱落防止機能を担うプレート４とから構成されていることが理解される。また、ハンドピース１は、載置部２１の一端部である後端部側で、コネクタ１２を介してインスツルメント用ホース（以下、単に「ホース」という。）１１に接続されることが理解される。
【００１７】
ホルダ本体２は、ホルダカバー３とで矩形の筐体を構成し、図２において上面が開放された箱体の形状を有している。ホルダ本体２には、上述のとおりハンドピース１を載置する載置部２１が水平に複数（図２において５つ）形成されている。載置部２１は、後端部側まで開口部が広く設けられてコネクタ１２を露出させる大きさに形成され、ハンドピース１が取り外された状態でもコネクタ１２を取出し易い構成である。また、載置部２１は、図１及び図２に示すように、ホルダ本体２の矩形の収容部において、その長手方向の一辺２ａに対して斜め方向に設けられている。
【００１８】
載置部２１は、図２及び図３に示すように、載置されるハンドピース１を案内し、その胴体部を支持するガイドローラ２１１と、このガイドローラ２１１とで略Ｕ字を形成し、ハンドピース１の頭部付近を支持する支持ローラとしての鼓状ローラ２１２とを有する。さらに、鼓状ローラ２１２をその軸方向外側から軸支するとともに、載置部２１の側壁２１３１を形成している軸支部材２１３を有している。
【００１９】
また、図４に示すように、載置部２１において鼓状ローラ２１２と反対側となる後端部（一端部）でガイドローラ２１１に接続され、ホース１１に接続されたハンドピース１をホース１１側から挿入する挿入空間としての挿入孔を備えた被挿入部材２１４を有する。この被挿入部材２１４には、プレート４が回動自在に設けられている。
【００２０】
特に、載置部２１において、ガイドローラ２１１は円柱形状で、その一対の円柱部外側同士の間の幅である第１の間隔Ｄ１をあけて並行、例えば、平行に設けられている。鼓状ローラ２１２は、第１の間隔Ｄ１以上であって、側壁２１３１間とほぼ同等又はやや短い幅である第２の間隔Ｄ２に相当する軸方向長さを有し、軸２１２１が側壁２１３１間で軸支されている。また、鼓状ローラ２１２の軸２１２１は、ガイドローラ２１１の軸の中心を延長した延長線よりも上方に位置している。載置部２１では、第２の間隔Ｄ２≧第１の間隔Ｄ１の関係が成立している。
【００２１】
鼓状ローラ２１２は、軸方向両端の最大径部２１２２から軸方向中央部へ向けて径が徐々に縮小する形状である。具体的には、最大径部２１２２から軸方向中央部へ向けて径が縮小していく第１傾斜部２１２３と、この第１傾斜部２１２３に連続し、軸方向中央部へ向けて第１傾斜部２１２３よりも傾斜がなだらかな第２傾斜部２１２４とが形成されている。なお、第２傾斜部は、傾斜のない平坦部であってもよい。
【００２２】
本発明では、上述のように、鼓状ローラ２１２の軸２１２１が、ガイドローラ２１１の軸の中心を延長した延長線よりも上方に位置し、軸同士の高さが相違している。また、鼓状ローラ２１２は上述のように、軸方向両端の最大径部２１２２から軸方向中央部へ向けて径が徐々に縮小する形状である。これら構成に基づき、本発明では図４に示すように、ガイドローラ２１１の端部を鼓状ローラ２１２の下側へ潜り込ませるようにして配設することができる。そうすると、鼓状ローラ２１２とガイドローラ２１１との間の隙間が解消され、仮に、載置部２１に対して斜めに引き出されても、隙間にハンドピース１及びこれに接続されるホース１１が引っかかることがなくなって、ハンドピース１及びこれに接続されるホース１１のスムーズな引出し及び引戻しを実現することができる。
【００２３】
さらに、ガイドローラ２１１の円柱部外側同士の間（第１の間隔Ｄ１）の幅以上に、鼓状ローラ２１２の軸方向長さ（第２の間隔Ｄ２の幅に相当）を長くすることで、鼓状ローラ２１２を大径化することができる。鼓状ローラ２１２の大径化により、軸方向中央部（第２傾斜部２１２４）へハンドピース１に接続されるホース１１を容易に案内することができようになり、ハンドピース１の載置部２１への収まり及び取出しやすさが改善される。そして、この改善はハンドピース１及びホース１１のスムーズな引出し及び引戻しに寄与することとなる。また、鼓状ローラ２１２の第１傾斜部２１２３及び第２傾斜部２１２４を有する構成によっても、第２傾斜部２１２４へホース１１を案内しやすくなるので、ハンドピース１の載置部２１への収まり及び取出しやすさを改善することができる。略Ｕ字を形成しているガイドローラ２１１及び鼓状ローラ２１２は、ローラ（回転体）であるので、その場で回転可能であって施術者がハンドピース１を載置部２１へ載置しやすいという利点もある。
【００２４】
このほか、載置部２１は、ホルダ本体２の矩形の収容部において、その長手方向の一辺２ａに対して斜め方向に形成されている。引き出される向きに予めハンドピース１が配置されているため、常に鼓状ローラ２１２でホース１１を受けることができる。さらに、施術者に対してハンドピース１がより近づく配置となるので、施術者が掴みやすくなり、効率の良い施術が実行できるようになる。
【００２５】
プレート４は、図４に示すように、野球のホームベース様の形状をし、この形状の先端部である鋭角部分にホース１１を通す切欠部４ａが形成された構造を有している。切欠部４ａは、ホース１１を通す一方、ホース１１の端部を構成しているコネクタ１２を通さず、よってハンドピース１も通さないので、ハンドピース１の脱落防止機能を果たすことができる。また、ハンドピース１の脱落防止機能は、ガイドローラ２１１と鼓状ローラ２１２とで形成する略Ｕ字の形状によっても果たされる。このほか、プレート４には、載置部２１の他端部である前端部へ向けて被挿入部材２１４側からプレート４を付勢する付勢部材としてのスプリング４１が取り付けられている。スプリング４１は、被挿入部材２１４に設けられた接触センサー（図示省略）が担うハンドピース１へ通電を開始したり、又は通電を解除したりするスイッチの役割を、プレート４を付勢することで補佐している。
【００２６】
接触センサーは、ホース１１が接続されたハンドピース１が載置部２１に載置されると、その自重によってプレート４が被挿入部材２１４に当接するので、この当接を検知してハンドピース１への通電を解除する。この当接が検知された状態では、フットコントローラ等を操作してもハンドピース１は動作しない。また、接触センサーは、ホース１１が接続されたハンドピース１が載置部２１から取り出されると、プレート４がスプリング４１の付勢によって回動して被挿入部材２１４と接触しなくなるのでこれを検知し、ハンドピース１は動作可能状態となる。この状態で、フットコントローラ等によってハンドピース１を操作することにより、ハンドピース１にエアー、水、電気等が供給され、ハンドピース１はその動作を開始する。
【００２７】
ホルダカバー３は、図１に示すように、ホルダ本体２の上面を覆って、覆った状態でプレート４が、ハンドピース１を引出す際にホース１１が引出されるのに連れて前端部方向へ回動することを規制する規制部３１を備えている。具体的には、規制部３１は、ホルダ本体２の上面を覆ったときに、ホルダ本体２に設けられた載置部２１の後端部の被挿入部材２１４やプレート４を、覆い隠すようにして形成される。
【００２８】
そして、ホース１１が接続されたハンドピース１が載置部２１から取り出される場面では、ハンドピース１を引出す際に、プレート４がホース１１との摩擦等により、ホース１１が引出されるのに連れて前端部へ向けて回動しようとする。しかしながら、プレート４は、ホルダカバー３の規制部３１が被挿入部材２１４を覆い隠すように形成されているので、この規制部３１に当接し、それ以上の回動が規制される。したがって、歯科医師等がハンドピース１を使用した後、ハンドピース１を載置部２１に載置する際に、プレート４が載置部２１の前端部へ向けて回動していないので、プレート４を手指等で操作することなく、楽にハンドピース１を載置部２１へ載置することができる。また、ハンドピース１の脱落防止機能を常に良好に維持することができる。
【００２９】
したがって、本発明では、鼓状ローラ２１２の軸２１２１がガイドローラ２１１の軸の中心を延長した延長線よりも上方に位置する等の構成により、ガイドローラ２１１の端部を鼓状ローラ２１２の下側へ潜り込ませるようにして配設することができる。そうすると、鼓状ローラ２１２とガイドローラ２１１との間の隙間が解消され、ハンドピース１及びこれに接続されるホース１１が載置部２１に対して斜めに引き出されても引っかからなくなって、ハンドピース１及びこれに接続されるホース１１のスムーズな引出し及び引戻しが実現される。さらに、ガイドローラ２１１の円柱部外側同士の間の幅である第１の間隔Ｄ１以上に、第２の間隔Ｄ２の幅に相当する鼓状ローラ２１２の軸方向長さを長くし、鼓状ローラ２１２を大径化することができる。鼓状ローラ２１２の大径化により、軸方向中央部（第２傾斜部２１２４）へハンドピース１に接続されるホース１１を容易に案内することができ、ハンドピース１の載置部２１への収まり及び取出しやすさを改善し、ハンドピース１等のよりスムーズな引出し及び引戻しに寄与することができる。鼓状ローラ２１２の第１傾斜部２１２３及び第２傾斜部２１２４を有する構成によっても、第２傾斜部２１２４へホース１１を容易に案内し、ハンドピース１の載置部２１への収まり及び取出しやすさを改善することができる。
【００３０】
また、載置部２１は、ホルダ本体２の矩形の収容部において、その長手方向の一辺２ａに対して斜め方向に設けられていることから、引き出される向きに予めハンドピース１が配置されているため、常に鼓状ローラ２１２でホース１１を受けることが可能であり、ホースのスムーズな引出し及び引戻しが実現される。
【００３１】
このほか、プレート４が回動することを規制する規制部３１を備えるホルダカバー３を有するので、ホルダカバー３を装着した後において、プレート４が勝手に回動するようなことがなく、ハンドピース１の脱落防止機能を常に良好に維持することができる。また、ホルダ本体２に載置部２１を複数形成した構成としたので、各種のハンドピース１を一通りセッティングすることができて、便宜である。また、載置部２１は、後端部側まで開口部が広く設けられてコネクタ１２を露出させる大きさに形成されているため、ハンドピース１が取り外された状態でも、ホース１１の先端であるコネクタ１２を掴み易く、取出し易い。
【００３２】
ここで、歯科治療や理美容施術に臨むに際し、歯科医師等や理美容施術者にとって、各種のインスツルメントが掴みやすい角度でインスツルメントホルダに載置されていることが好ましい。これに対応するため、本発明では、インスツルメントが載置されているインスツルメントホルダそのものの角度を、歯科医師等や理美容施術者が自身で調整可能とする角度調整機構を備えさせることができる。
【００３３】
例えば、テーブル下面に設けられ、円弧状に伸縮するアームの先端に、インスツルメントホルダが接続された構成とする。さらに、アームの円弧状の伸縮によって描かれる円弧状軌跡から形成される仮想円の中心が、インスツルメントホルダの載置部に載置されているインスツルメントの頭部となる構成とする。このような構成により、歯科医師等や理美容施術者がアームの伸縮によってインスツルメントホルダの角度を変え、例えば、インスツルメントを起こした状態又は倒した状態としても、その頭部が仮想円の中心となって不動とすることができる。これにより、どんな歯科医師等や理美容施術者が歯科治療や理美容施術に臨んだとしても、掴みやすい角度に載置されたインスツルメントを用意できるインスツルメントホルダを提供することができる。
【００３４】
以上、本発明の一実施形態を例示して説明したが、本発明は、特許請求の範囲に記載された事項を逸脱することがなければ、種々の設計変更を行うことが可能である。例えば、上記実施形態では、本発明に係るインスツルメントホルダを、歯科用テーブルに適用した例を説明した。しかしながら、歯科に限らず、様々な診療科においてインスツルメントホルダを備えたテーブル等が知られるので、本発明は、歯科に限定されないで、他の診療科においても適用することができる。さらに、インスツルメントホルダを備えたテーブル等は、エステティック等の全身の美容術で利用されるので、このような技術分野においても本発明を活用し得る可能性がある。
【００３５】
本発明を構成する部材や部品の材質は問わない。また、ガイドローラ、鼓状ローラ及び軸支部材は、上述した形状に限定されず、本発明が課題とした事項を解決可能な形状である限り、用途に応じて各種の形状を採用することができる。プレート及びホルダ本体、ホルダカバーの材質や形状も同様に、用途に応じて各種の形状を採用することができる。
【００３６】
本発明では、インスツルメント載置部が、インスツルメントホルダの一辺に対して斜め方向に設けられているので、ホルダ（ホルダカバー）表面端部にスペースが発生する可能性がある。このスペースを有効活用し、例えば、汚物入れ等の凹部を設けたり、その他の脱脂綿等の医療用具、理美容用具を載置する載置部を設けたりすることができる。
【符号の説明】
【００３７】
Ａ・・・・インスツルメントユニットホルダ（本発明）
１・・・・ハンドピース（インスツルメント）
１１・・・ホース（インスツルメント用ホース）
１２・・・コネクタ
２・・・・ホルダ本体
２ａ・・・一辺
２１・・・載置部（インスツルメント載置部）
２１１・・ガイドローラ
２１２・・鼓状ローラ
２１２１・軸
２１２２・最大径部
２１２３・第１傾斜部
２１２４・第２傾斜部
２１３・・軸支部材
２１３１・側壁
２１４・・被挿入部材
３・・・・ホルダカバー
３１・・・規制部
４・・・・プレート
４ａ・・・切欠部
４１・・・スプリング
Ｄ１・・・第１の間隔
Ｄ２・・・第２の間隔
【図１】
0006624813.tif 000002
【図２】
0006624813.tif 000003
【図３】
0006624813.tif 000004
【図４】
0006624813.tif 000005